(57)【要約】【課題】簡単な構造で携帯電子機器とストラップとを電気的に接続し、ストラップによって着信等を使用者に報知等することのできる携帯電子機器、及びストラップを提供する。【解決手段】携帯電子機器において、筐体と、筐体の内部に配置された制御回路と、筐体に両端が接続されたピン状のストラップ取り付け部と、を備え、ストラップ取り付け部には、第１電極２ａと第２電極２ｂとが形成されており、第１電極２ａと第２電極２ｂとの間には電極分離部９が形成されている。また、ストラップにおいて、第４電極８ａと第５電極８ｂとが設けられている環状の紐部６を有し、第１電極２ａと第４電極８ａ、及び第２電極２ｂと第５電極８ｂがそれぞれ接触する。【選択図】図４
2012227690.tif 000002
【特許請求の範囲】
【請求項１】
筐体と、
前記筐体の内部に配置された制御回路と、
前記筐体に両端が接続されたピン状のストラップ取り付け部と、を備え、
前記ストラップ取り付け部には、前記制御回路から電流が供給される第１電極と第２電極とが形成されており、
前記第１電極と前記第２電極との間には、前記第１電極と前記第２電極とを分離する電極分離部が形成されている、
ことを特徴とする携帯電子機器。
【請求項２】
前記電極分離部の外径は、前記第１電極及び前記第２電極の外径より大きい、
ことを特徴とする請求項１に記載の携帯電子機器。
【請求項３】
前記ストラップ取り付け部には、切り欠きが形成されている、
ことを特徴とする請求項１または２に記載の携帯電子機器。
【請求項４】
前記電極分離部の外周には、第３電極が形成されている、
ことを特徴とする請求項１乃至３のいずれか１項に記載の携帯電子機器。
【請求項５】
第４電極と第５電極とが設けられている環状の紐部と、
前記第４電極と前記第５電極にそれぞれ電気的に接続されている点灯部と、を有し、
前記紐部が請求項１乃至３のいずれか１項に記載の携帯電子機器のストラップ取り付け部に取り付けられた際に、前記第１電極と前記第４電極、及び前記第２電極と前記第５電極がそれぞれ接触し、前記制御回路から前記点灯部に電流が供給される、
ことを特徴とするストラップ。
【請求項６】
第４電極、第５電極、第６電極が設けられている環状の紐部と、
前記第４電極と前記第６電極にそれぞれ電気的に接続されている第１点灯部と、
前記第５電極と前記第６電極にそれぞれ電気的に接続されている第２点灯部と、を有し、
前記紐部が請求項４に記載の携帯電子機器のストラップ取り付け部に取り付けられた際に、前記第１電極と前記第４電極、前記第２電極と前記第５電極、前記第３電極と前記第６電極がそれぞれ接触し、前記制御回路から前記第１点灯部と前記第２点灯部にそれぞれ電流が供給される、
ことを特徴とするストラップ。
【発明の詳細な説明】
【技術分野】
【０００１】
本発明は、携帯電子機器、及び携帯電子機器に取り付けられるストラップに関する。
【背景技術】
【０００２】
従来、携帯電話等の携帯端末（携帯電子機器）において、着信等を感知した際に使用者に着信等を報知するため、携帯端末の本体に設けられている点灯部を点灯させ、イルミネーションとして機能させる技術が知られている。しかし、携帯端末の本体に点灯部が設けられていると、その分本体が大型となり、また、本体をポケット等に入れていると点灯部の点灯に気づかないことがある。
そのため、近年、着信等を感知した際に、携帯端末の本体以外に設けられた点灯部を点灯させることで使用者に着信等を報知する技術が提案されている。例えば特許文献１には、携帯電話に取り付けられたストラップに点灯部を設け、その点灯部を点灯させることで使用者に着信等を報知するストラップが開示されている。
【先行技術文献】
【特許文献】
【０００３】
【特許文献１】特開平０８−９７８９２号公報
【発明の概要】
【発明が解決しようとする課題】
【０００４】
ところで、上記特許文献１に開示されているストラップは、携帯電話本体にコネクタを介して電気的に接続されている。しかしながら、携帯電話本体とストラップとを専用のコネクタを介して接続しなければならないため、携帯電話本体とストラップとの接続部分が大型となり、またコストがかかり汎用性に欠ける等の問題があった。
【０００５】
本発明はかかる問題点に鑑みてなされたものであり、簡単な構造で携帯電子機器とストラップとを電気的に接続し、ストラップによって着信等を使用者に報知等することのできる携帯電子機器、及びストラップを提供することを目的とする。
【課題を解決するための手段】
【０００６】
上記目的を達成するため、本発明の第１の観点に係る携帯電子機器は、
筐体と、
前記筐体の内部に配置された制御回路と、
前記筐体に両端が接続されたピン状のストラップ取り付け部と、を備え、
前記ストラップ取り付け部には、前記制御回路から電流が供給される第１電極と第２電極とが形成されており、
前記第１電極と前記第２電極との間には、前記第１電極と前記第２電極とを分離する電極分離部が形成されている、
ことを特徴とする。
【０００７】
また、上記目的を達成するため、本発明の第２の観点に係るストラップは、
第４電極と第５電極とが設けられている環状の紐部と、
前記第４電極と前記第５電極にそれぞれ電気的に接続されている点灯部と、を有し、
前記紐部が上記第１の観点に係る携帯電子機器のストラップ取り付け部に取り付けられた際に、前記第１電極と前記第４電極、及び前記第２電極と前記第５電極がそれぞれ接触し、前記制御回路から前記点灯部に電流が供給される、
ことを特徴とする。
【発明の効果】
【０００８】
本発明によれば、簡単な構造で携帯電子機器とストラップとを電気的に接続し、ストラップによって着信等を使用者に報知等することのできる携帯電子機器、及びストラップを提供することができる。これにより、例えば、携帯電子機器に設けられた点灯部とストラップに設けられた点灯部とを連動させた点灯制御を行うことが可能となるため、より多彩なイルミネーション表現が可能な携帯電子機器を提供することができる。
【図面の簡単な説明】
【０００９】
【図１】本発明の実施形態に係る携帯電子機器を示す簡略全体図である。
【図２】本発明の実施形態１に係るストラップを示す簡略全体図である。
【図３ａ】本発明の一実施形態１に係るストラップ取り付け部を示す拡大図である。
【図３ｂ】図３ａにおけるＡ−Ａ断面図である。
【図４】本発明の実施形態１に係るストラップ取り付け部にストラップを取り付けた状態を示す拡大図である。
【図５】本発明の実施形態１に係る携帯電子機器とストラップとの電気的接続構造を示す概略図である。
【図６ａ】本発明の実施形態２に係るストラップ取り付け部を示す拡大図である。
【図６ｂ】図６ａにおけるＢ−Ｂ断面図である。
【図７】本発明の実施形態２に係るストラップ取り付け部にストラップを取り付けた状態を示す拡大図である。
【図８】本発明の実施形態３に係るストラップを示す簡略全体図である。
【図９ａ】本発明の実施形態３に係るストラップ取り付け部を示す拡大図である。
【図９ｂ】図９ａにおけるＣ−Ｃ断面図である。
【図１０】本発明の実施形態３に係るストラップ取り付け部にストラップを取り付けた状態を示す拡大図である。
【図１１】本発明の実施形態３に係る携帯電子機器とストラップとの電気的接続構造を示す概略図である。
【発明を実施するための形態】
【００１０】
以下、本発明に係る携帯電子機器について、携帯電話１００を例に、図面を参照しながら詳細に説明する。
【００１１】
（実施形態１）
携帯電話１００は、図１に示すように、折り畳み可能な矩形板状の筐体１から構成されている。また、筐体１の側面には凹部１ａが形成されており、凹部１ａには、両端が筐体１に接続されている円筒状のピン状のストラップ取り付け部２が設けられている。
【００１２】
筐体１のストラップ取り付け部２に取り付けられるストラップ２００は、図２に示すように、飾り部３、点灯部４、接続部５、紐部６から構成されている。また、飾り部３、点灯部４、接続部５、紐部６の内部には、図５に示すように、携帯電話１００と点灯部４とを電気的に接続する導線７が配線されている。
【００１３】
飾り部３は、十分な強度及び柔軟性を有する絶縁性の紐から構成されている。飾り部３の一端は点灯部４に接続されており、他端は接続部５に接続されている。
【００１４】
点灯部４は、透光性の樹脂材料等から構成されており、球体状に形成されている。また、点灯部４の内部には、光源であるＬＥＤ４ａが配置されている。点灯部４は、飾り部３の一端に接続されており、飾り部３の内部を通る導線７がＬＥＤ４ａに接続されている。
【００１５】
接続部５は、絶縁性の樹脂材料等から構成されており、円筒状に形成されている。接続部５の一端は飾り部３と接続されており、他端は紐部６に接続されている。
【００１６】
紐部６は、ループ状の紐で構成されており、十分な強度及び柔軟性を有する絶縁性の材料から形成されている。また、紐部６の先端部６ａ近傍には、一対の電極（第４、第５電極）８ａ、８ｂが形成されている。電極８ａ、８ｂは、ストラップ取り付け部２に紐部６が取り付けられた時に、紐部６がストラップ取り付け部２に接触する範囲に形成されている。また、ループ状の紐部６の輪は、ストラップ２００の飾り部３、点灯部４等を挿通させることができる大きさとなっている。
【００１７】
ストラップ取り付け部２は、図３ａの拡大図、及び図３ｂの断面図で示すように、筐体１の凹部１ａにピン状に設けられており、両端に形成された一対の電極（第１、第２電極）２ａ、２ｂと、電極２ａ、２ｂの間に形成された電極分離部９から構成されている。
【００１８】
電極２ａ、２ｂは、導電性の金属から構成されており、一例として円筒状に形成されている。電極２ａ、２ｂの一端はそれぞれ筐体１に接続されており、他端はそれぞれ電極分離部９に接続されている。
【００１９】
電極分離部９は、絶縁体である樹脂材料等から構成されており、電極２ａ、２ｂ間を分離している。電極分離部９は、電極２ａ、２ｂと同心の円筒状であり、電極分離部９の外径は、電極２ａ、２ｂの外径より大きく形成されている。
【００２０】
上述のストラップ取り付け部２にストラップ２００を取り付ける場合、まずストラップ２００の紐部６の先端部６ａを筐体１の凹部１ａに挿通させる。そしてループ状の紐部６の輪の中に、ストラップ２００の残りの部分である飾り部３等を挿通させ、図４に示すように、紐部６をストラップ取り付け部２の電極２ａ、２ｂの周囲に巻き付ける。このとき、ストラップ２００の紐部６の先端部６ａに形成されている一対の電極８ａ、８ｂは、図４中で網線で示すように、ストラップ取り付け部２の一対の電極２ａ、２ｂにそれぞれ接触した状態で保持される。
【００２１】
また、ストラップ取り付け部２の電極２ａ、２ｂの間には電極分離部９が形成されているため、ループ状の紐部６は、輪の中に電極分離部９を挟んでストラップ取り付け部２に取り付けられる。電極分離部９の外径は電極２ａ、２ｂの外径より大きいため、紐部６は、ストラップ取り付け部２の軸線方向へ電極分離部９を跨いで移動することはできない。したがって、電極８ａ、８ｂ同士が接触することがなく、電極８ａ、８ｂが短絡する虞がない。また、電極分離部９の外径が電極２ａ、２ｂの外径より大きいため、ストラップ取り付け部２の電極２ａ、２ｂに使用者が誤って接触することを防止することができる。
【００２２】
次に、ストラップ２００を携帯電話１００に取り付けた時の電気的な接続構造について、図５を用いて詳述する。
【００２３】
図５に示すように、携帯電話１００の筐体１の内部には、制御回路１０が設けられている。制御回路１０は、導線１１を介してストラップ取り付け部２の電極２ａ、２ｂとそれぞれ接続されており、電極２ａ、２ｂは、それぞれストラップ２００の紐部６の電極８ａ、８ｂと直接接触している。紐部６の電極８ａ、８ｂには導線７が接続されており、導線７は、紐部６、接続部５、飾り部３の内部を通って、点灯部４のＬＥＤ４ａに接続されている。また、導線７には、電気的に短絡しないよう被膜が施されている。
【００２４】
制御回路１０が着信等を検知した場合、制御回路１０から導線１１へ電流が供給される。導線１１に供給された電流は、ストラップ取り付け部２の電極２ａ、２ｂと、それらと接続されているストラップ２００の紐部６の電極８ａ、８ｂとを経由し、導線７を介して点灯部４のＬＥＤ４ａへと供給され、ＬＥＤ４ａが点灯する。
【００２５】
（実施形態２）
次に実施形態２について、図６ａ、図６ｂ、図７を用いて説明する。ストラップ取り付け部２０以外の基本的な構成は実施形態１と同一である。したがって、図６ａ、図６ｂ、図７において、図３ａ、図３ｂ、図４の構成部分と対応する各部には同一の番号を付す。
【００２６】
実施形態２では、図６ａの拡大図、及び図６ｂの断面図で示すように、ストラップ取り付け部２０の電極２０ａ、２０ｂと電極分離部９は、外径が同一の大きさになるよう形成されている。また、電極２０ａ、２０ｂには、それぞれ切り欠き２１ａ、２１ｂが形成されている。切り欠き２１ａ、２１ｂのストラップ取り付け部２０の軸線方向の幅は、ストラップ２００の紐部６の紐の直径と略同一の長さに形成されている。
【００２７】
実施形態２のストラップ取り付け部２０にストラップ２００を取り付けた場合、ストラップ２００の紐部６（電極８ａ、８ｂ）は、図７に示すように、電極２０ａ、２０ｂの切り欠き２１ａ、２１ｂに係止される。図７中で網線で示すように、電極８ａ、８ｂが切り欠き２１ａ、２１ｂに落とし込まれて固定されることにより、ストラップ取り付け部２０の軸線方向への紐部６の移動を制限することができ、電極８ａ、８ｂ同士が接触し短絡することを防ぐことができる。
【００２８】
携帯電話１００の制御回路１０が着信等を検知した場合には、実施形態１と同様に、制御回路１０から導線１１へ電流が供給される。導線１１へ供給された電流は、ストラップ取り付け部２０の電極２０ａ、２０ｂと、それらと接続されているストラップ２００の紐部６の電極８ａ、８ｂとを経由し、導線７へと供給されてＬＥＤ４ａが点灯する。
【００２９】
（実施形態３）
次に実施形態３について、図８乃至図１１を用いて説明する。実施形態３では、ストラップ３００の紐部６０とストラップ取り付け部２２０以外の基本的な構成は実施形態１と同一である。したがって、図８乃至図１１において、図２乃至図５の構成部分と対応する各部には同一の番号を付す。
【００３０】
実施形態３では、図８に示すように、ストラップ３００の紐部６０の先端部６０ａ近傍に３つの電極（第４、第５、第６電極）８ａ、８ｂ、８０が形成されている。電極８０は、ストラップ取り付け部３０に紐部６０が取り付けられた時に、紐部６０が電極分離部９０の外周面に接触する範囲に形成されている。また、飾り部３０は、２本の紐３０ａ、３０ｂから構成されており、紐３０ａ、３０ｂの一端には、それぞれ点灯部４０ａ、４０ｂが接続されている。さらに、点灯部４０ａ、４０ｂの内部には、光源であるＬＥＤ４００ａ、４００ｂが配置されている。
【００３１】
また、図９ａ、図９ｂに示すように、ストラップ取り付け部２２０の電極分離部９０の外周面には、一例として全周に渡って電極（第３電極）９０ａが形成されている。電極９０ａは電極分離部９０の外周面の略中央に形成されており、電極９０ａの幅は電極分離部９０の幅よりも短い。
【００３２】
実施形態３のストラップ取り付け部２２０にストラップ３００を取り付けた場合、図１０に示すように、ストラップ取り付け部２２０の電極２ａ、２ｂ、９０ａは、それぞれストラップ３００の紐部６０の電極８ａ、８ｂ、８０に接触した状態で保持される。図１０中で網線で示すように、電極２ａ、２ｂ、９０ａは電極分離部９０によってそれぞれ分離されており、また、電極分離部９０によって、ストラップ取り付け部２２０の軸線方向への紐部６０の移動を制限することができるため、電極８ａ、８ｂ、８０同士が接触し短絡することを防ぐことができる。
【００３３】
次に、ストラップ３００を携帯電話１００に取り付けた時の電気的な接続構造について、図１１を用いて詳述する。
【００３４】
図１１に示すように、携帯電話１００の筐体１の内部の制御回路１０は、導線１１０を介してストラップ取り付け部２２０の電極２ａ、２ｂ、９０ａとそれぞれ接続されている。また、電極２ａ、２ｂ、９０ａは、ストラップ３００の紐部６０の電極８ａ、８ｂ、８０とそれぞれ直接接触している。紐部６０の電極８ａ、８ｂ、８０には導線７０が接続されており、導線７０は、紐部６０、接続部５、飾り部３０ａ、３０ｂの内部を通って、点灯部４０ａ、４０ｂのＬＥＤ４００ａ、４００ｂにそれぞれ接続されている。
なお実施形態３では、制御回路１０において、電極２ａと電極９０ａ、電極２ｂと電極９０ａとが、それぞれ対をなしている。また、ストラップ３００において、電極８ａと電極８０、電極８ｂと電極８０とが、それぞれ対をなしている。
【００３５】
制御回路１０が着信等を検知した場合、制御回路１０から導線１１０へ電流が供給される。導線１１０に供給された電流は、ストラップ取り付け部２２０の電極２ａ、２ｂ、９０ａと、それらと接続されているストラップ３００の紐部６０の電極８ａ、８ｂ、８０とを経由し、導線７０を介して点灯部４０ａ、４０ｂのＬＥＤ４００ａ、４００ｂへと供給され、ＬＥＤ４００ａ、４００ｂが点灯する。
【００３６】
上記実施形態３では、制御回路１０から導線１１０に供給される電流を制御することによって、点灯部４０ａ、４０ｂのそれぞれのＬＥＤ４００ａ、４００ｂに供給される電流を変化させることができる。また、２つのＬＥＤ４００ａ、４００ｂ同士を異なる配色にすることもできる。したがって、ＬＥＤ４００ａ、４００ｂを様々な点灯パターンで点灯させることができ、電話の着信やメールの受信等の報知したい情報に応じて、点灯パターンを変化させて使用者に報知することができる。
【００３７】
上記の実施形態１乃至３では、ストラップ取り付け部２、２０、２２０は円筒状であったが、ストラップ２００、３００の紐部６、６０を巻き付けることのできる形状であれば、矩形状等であってもよい。
【００３８】
また、上記の実施形態１乃至３では、ストラップ２００、３００の紐部６、６０に電極８ａ、８ｂ、８０を形成していたが、紐部６、６０の内部に配線されている導線７、７０を一部露出させることで、電極８ａ、８ｂ、８０としていてもよい。
【００３９】
また、上記の実施形態１乃至３では、ストラップ２００、３００は、紐部６、６０、接続部５、飾り部３、３０ａ、３０ｂ、点灯部４、４０ａ、４０ｂから構成されていたが、紐部６、６０と点灯部４、４０ａ、４０ｂとを有していれば、その他の構成は必須ではない。また、装飾等のその他の構成が含まれていてもよい。
【００４０】
また、上記のストラップ２００、３００の点灯部４、４０ａ、４０ｂとは別に、携帯電話１００の筐体１に点灯部が設けられていてもよい。ストラップ２００、３００の点灯部４、４０ａ、４０ｂと筐体１の点灯部を両方点灯させることで、確実に着信等を使用者に報知することができる。
【００４１】
また、上記のストラップ２００、３００と携帯電話１００との電気的な接続構造において、制御回路１０から供給される電流は、導線１１、電極２ａ、電極８ａ、導線７を介して、点灯部４のＬＥＤ４ａへと供給されていた。しかし、導線７等の途中にダイオードブリッジ等の整流回路を配置し、整流回路を介して制御回路１０から供給される電流が点灯部４のＬＥＤ４ａへと供給されるようにしてもよい。
【００４２】
上記の実施形態１乃至３では、携帯電話に設けられるストラップ取り付け部を例に説明したが、携帯電話に限定されるものではない。ストラップ取り付け部が設けられる携帯電子機器であれば、パーソナルコンピュータ、デジタルカメラ、ゲーム機等であっても良い。また、報知する情報も、電話の着信やメールの受信に限らず、充電中であることを知らせるもの等であっても良い。
【００４３】
上記の実施形態の一部または全部は、以下の付記のようにも記載されうるが、以下には限られない。
【００４４】
（付記１）
筐体と、
前記筐体の内部に配置された制御回路と、
前記筐体に両端が接続されたピン状のストラップ取り付け部と、を備え、
前記ストラップ取り付け部には、前記制御回路から電流が供給される第１電極と第２電極とが形成されており、
前記第１電極と前記第２電極との間には、前記第１電極と前記第２電極とを分離する電極分離部が形成されている、
ことを特徴とする携帯電子機器。
【００４５】
（付記２）
前記電極分離部の外径は、前記第１電極及び前記第２電極の外径より大きい、
ことを特徴とする付記１に記載の携帯電子機器。
【００４６】
（付記３）
前記ストラップ取り付け部には、切り欠きが形成されている、
ことを特徴とする付記１または２に記載の携帯電子機器。
【００４７】
（付記４）
前記電極分離部の外周には、第３電極が形成されている、
ことを特徴とする付記１乃至３のいずれか１つに記載の携帯電子機器。
【００４８】
（付記５）
第４電極と第５電極とが設けられている環状の紐部と、
前記第４電極と前記第５電極にそれぞれ電気的に接続されている点灯部と、を有し、
前記紐部が付記１乃至３のいずれか１つに記載の携帯電子機器のストラップ取り付け部に取り付けられた際に、前記第１電極と前記第４電極、及び前記第２電極と前記第５電極がそれぞれ接触し、前記制御回路から前記点灯部に電流が供給される、
ことを特徴とするストラップ。
【００４９】
（付記６）
第４電極、第５電極、第６電極が設けられている環状の紐部と、
前記第４電極と前記第６電極にそれぞれ電気的に接続されている第１点灯部と、
前記第５電極と前記第６電極にそれぞれ電気的に接続されている第２点灯部と、を有し、
前記紐部が付記４に記載の携帯電子機器のストラップ取り付け部に取り付けられた際に、前記第１電極と前記第４電極、前記第２電極と前記第５電極、前記第３電極と前記第６電極がそれぞれ接触し、前記制御回路から前記第１点灯部と前記第２点灯部にそれぞれ電流が供給される、
ことを特徴とするストラップ。
【符号の説明】
【００５０】
１  筐体
１ａ  凹部
２、２０、２２０  ストラップ取り付け部
２ａ、２ｂ、２０ａ、２０ｂ  電極（第１、第２電極）
３、３０ａ、３０ｂ  飾り部
４、４０ａ、４０ｂ  点灯部
４ａ、４００ａ、４００ｂ  ＬＥＤ
５  接続部
６、６０  紐部
６ａ、６０ａ  先端部
７、７０  導線
８ａ、８ｂ、８０  電極（第４、第５、第６電極）
９、９０  電極分離部
１０  制御回路
１１、１１０  導線
２１ａ、２１ｂ  切り欠き
９０ａ  電極（第３電極）
１００  携帯電話
２００、３００  ストラップ
【図１】
2012227690.tif 000003
【図２】
2012227690.tif 000004
【図３ａ】
2012227690.tif 000005
【図３ｂ】
2012227690.tif 000006
【図４】
2012227690.tif 000007
【図５】
2012227690.tif 000008
【図６ａ】
2012227690.tif 000009
【図６ｂ】
2012227690.tif 000010
【図７】
2012227690.tif 000011
【図８】
2012227690.tif 000012
【図９ａ】
2012227690.tif 000013
【図９ｂ】
2012227690.tif 000014
【図１０】
2012227690.tif 000015
【図１１】
2012227690.tif 000016